(57)【要約】 【課題】野菜のおろし器具において、肌理の細かいおろしでも、また荒おろしでも作業効率に優れ且つ良好な切れ味を備える切削刃体を備えた器具を提供する。【解決手段】突起形状の切削刃体２２を備えた野菜おろし器において、切断刃体２２の頂部に溝部を切削方向に直交する方向（横溝部２３）や、平行方向（縦溝部２５）に形成して、切削方向に対して横並びや前後並び或いは双方の接近切断刃先２４ｃ，２４ｄ，２４ｅ，２４ｆを備えてなる。【選択図】  図３
2007130036.tif 000002
【特許請求の範囲】
【請求項１】
突起形状の切削刃体を備えた野菜おろし器において、切断刃体の頂部に溝部を設けて、接近した複数の切断刃先を形成してなることを特徴とする野菜おろし器。
【請求項２】
切削方向に直交する溝部を形成して切削方向に対して横並びの接近切断刃先を備えた請求項１記載の野菜おろし器。
【請求項３】
切削方向と平行な溝部を形成して切削方向に対して前後に並ぶ接近切断刃先を備えた請求項１記載の野菜おろし器。
【請求項４】
切削方向に直交する溝部と、切削方向と平行な溝部を形成して、切削方向に対して横並びと前後並びの接近切断刃先を備えた請求項１記載の野菜おろし器。
【発明の詳細な説明】
【技術分野】
【０００１】
本発明は、野菜おろし器の切削刃形状の改良に関するものである。
【背景技術】
【０００２】
野菜おろし器は、金属製、樹脂製、セラミック製が知られており、基本的に構造としては、平板部（切削部）に切削刃体が突出し、おろし野菜を切削部の周囲から取り出す器具（特許文献１，２）、平板部に形成した透孔の周囲部に切削刃体を突出形成した、おろし野菜を前記透孔から下方容器内に落下させる器具（特許文献３）、また上縁に切削刃体を形成した切削板を、所定の間隙空間を開けて配列し、おろし野菜を前記間隙空間から下方容器内に落下させる荒おろし用として多用されている器具（特許文献４）などが知られている。
【０００３】
また切削刃体の形状としては、三角錐や四角錐形状（特許文献２，３）、三角錐台や四角錐台形状（特許文献１，２）、半球体形状（特許文献２）、板状三角突起形状（特許文献４）等が知られている。
【０００４】
【特許文献１】実開平７−３０９４２号公報。
【特許文献２】特開２００５−１３５１７号公報。
【特許文献３】特開２００１−２８６４０４号公報。
【特許文献４】実開平７−３０９４２号公報。
【発明の開示】
【発明が解決しようとする課題】
【０００５】
肌理の細かい野菜おろしを調製できるおろし器を形成しようとした場合には、周知のとおり山葵おろし器や生姜おろし器のように切削刃先の間隔を細かくしなければならないが、角錐や角錐台形状の切削刃で刃先間隔を細かくすると、切削刃自体が小さく（高さが低く）なり、一回の野菜の摺動によるおろし量が少なくなり、おろし作業効率が低下してしまう。
【０００６】
またおろし作業効率を高めるために、切削刃の単体切削量を多くするために切削自体を大きくすると、切断刃先の間隔が大きくなり、野菜の抵抗が大きくなり、切れ味の悪いおろし作業となってしまう。
【０００７】
同様のことは主として荒おろしとして採用されている板状三角突起刃を採用している器具でもいえることで、特に荒おろし用として板状の三角切断刃体を採用した場合には、当該切断刃体の裏面に通常のおろし用の切断刃体を形成しても、板体の厚みから切れ味の良いおろし器は得られなかった。
【０００８】
そこで本発明は、肌理の細かいおろしでも、また荒おろしでも作業効率に優れ且つ良好な切れ味を備える新規な切削刃を備えた野菜おろし器を提案したものである。
【課題を解決するための手段】
【０００９】
本発明に係る野菜おろし器は、突起形状の切削刃体を備えた野菜おろし器において、切断刃体の頂部に溝部を設けて、接近した複数の切断刃先を形成してなることを特徴とするもので、前記の溝部を、切削方向に直交する方向や、平行方向に形成して、切削方向に対して横並びや前後並び或いは双方の接近切断刃先を備えたものである。
【００１０】
従って切断刃体の野菜摺動対向面で野菜の抉り取り（繊維切断）で野菜がおろされるので、所定の大きさの切断刃体を備えることで、一回の野菜摺動で充分な切削量を得ることができ、同時に接近切断刃先によって野菜繊維が細かく（左右横並び接近刃先による）或いは連続的（前後並びの接近刃先による）に切断されることになる。
【発明の効果】
【００１１】
本発明は上記の構成を採用した野菜おろし器で、一回の野菜摺動による切断量を少なくすることなく、切れ味を向上させ、また肌理の細かい野菜おろしを得ることができたものである。
【発明を実施するための最良の形態】
【００１２】
次に本発明の実施形態について説明する。実施形態（第一実施例）に示した野菜おろし器は、容器部Ａと、容器部Ａに被冠装着されるおろし板Ｂで構成されるもので、おろし板Ｂは、容器部Ａに装着するための装着部１と、複数の切削板２で形成した野菜おろし部を備えてなる。
【００１３】
切削板（３ｍｍ厚、以下数値は実施形態のもので、この数値に特定されるものでは無い）２は、通常の荒おろし器と同様程度の間隔を開けて配列してなり、上下縁を三角波形状として形成した切削刃体２１，２２を設けている。
【００１４】
一方の切削刃体２１は、荒おろし用として使用されるもので、左右８ｍｍのピッチで、頂部の内角が７０度で、高さを３．８ｍｍとしたもので、特に頂部の前後間に前後幅０．４ｍｍで、深さ０．８ｍｍの横溝部２３を設けて、頂部の前後に接近刃先２４ａ，２４ｂを形成したものである。
【００１５】
また他方の切削刃体２２は、通常おろし用として使用されるもので、左右４ｍｍのピッチで、高さを１．８６ｍｍとして、頂部の内角が７０度で間に深さ１ミリの縦溝部２５を設けて左右に隣接する接近刃先を形成すると共に、更に前後間に前後幅０．４ｍｍで、深さ０．８ｍｍの横溝部２３を設けることで、頂部に前後左右に接近刃先２４ｃ，２４ｄ，２４ｅ，２４ｆを形成したものである。
【００１６】
而して切断刃体２１面が上面に位置するようにおろし板Ｂを、容器部Ａに装着すると、切断刃体２１の左右ピッチから荒おろし器として使用されるもので、特に前後接近刃先２４ａ，２４ｂによって、野菜のダブル切断が実現するので、おろし作業時の抵抗感が少なく切れ味の良好なおろし作業がなされるものである。
【００１７】
また切断刃体２２面が上面に位置するようにおろし板Ｂを、容器部Ａに装着すると、切断刃体２２の左右ピッチから通常のおろし器として使用されるもので、特に左右の接近刃先２４ｃ，２４ｄによる細かい切断によって肌理の細かいおろしが実現し、同時に前後の接近刃先２４ｅ，２４ｆによって、野菜のダブル切断が実現するので、おろし作業時の抵抗感が少なく切れ味の良好なおろしがなされるものである
【００１８】
また本発明は前記の実施形態にしたような、上縁に切削刃体を形成した切削板を、所定の間隙空間を開けて配列した形式の器具に限定されるものではなく、図７に示すような金属製の平板部３に形成した透孔４の周囲部に切削刃体５を起立形成したおろし金Ｃ（第二実施例）においても、切削刃体５の頂部に溝部５１を設けて接近刃先を形成するようにしても良い。勿論金属製のおろし金に限らず、プラスチック製で切断刃体を角錐・角錐台形状にした場合にも、頂部に溝部を形成して接近刃先を設けることもできる。
【００１９】
更に図８に示すように、平板部（切削部）６に半球状や角錐・角錐台形状の切削刃体７を突出させたおろし器Ｄ（第三実施例）においても、切削刃体７の頂部に溝部７１を形成して接近刃先を設けることもできる。
【図面の簡単な説明】
【００２０】
【図１】本発明の実施形態の全体斜視図。
【図２】同一方の切断刃体の説明図（切削板の斜視図）。
【図３】同他方の切断刃体の説明図（切削板の斜視図）。
【図４】同一方の切断刃体の説明図（切削刃体の正面図）。
【図５】同他方の切断刃体の説明図（切削刃体の正面図）。
【図６】同切断刃体の説明図（切削刃体の断面図）。
【図７】本発明の第二実施例の全体斜視図。
【図８】同第三実施例の全体斜視図。
【図９】同第三実施例の切削刃体の拡大正面図。
【符号の説明】
【００２１】
Ａ        容器部
Ｂ        おろし板
Ｃ        おろし金（第二実施例）
Ｄ        おろし器（第三実施例）
１        装着部
２        切削板
２１，２２    切削刃体
２３          横溝部
２４ａ，２４ｂ，２４ｃ，２４ｄ，２４ｅ，２４ｆ  接近刃先
２５          縦溝部
３，６        平板部
４            透孔
５，７        切削刃体
５１，７１    溝部
【図１】
2007130036.tif 000003
【図２】
2007130036.tif 000004
【図３】
2007130036.tif 000005
【図４】
2007130036.tif 000006
【図５】
2007130036.tif 000007
【図６】
2007130036.tif 000008
【図７】
2007130036.tif 000009
【図８】
2007130036.tif 000010
【図９】
2007130036.tif 000011